(57)【特許請求の範囲】
【請求項１】
筒状の周壁部及び該周壁部の一端側を塞ぐ底壁部を有するレフィル用の内容器と、
該内容器を収納する有底筒状の内容器収納部を備える外容器と、
前記内容器と前記外容器の間で前記内容器の前記周壁部の外面と前記底壁部の外面を繋ぐ傾斜面に沿って該内容器の周方向に延在するアーム部、及び該アーム部に連なり前記外容器に設けた開口を介して外部に露出する押圧部を有する押し込み部材と、を備え、
前記押圧部を前記外容器の径方向内側に向けて押し込むことで、前記アーム部が、前記傾斜面に対して摺動しながら径方向内側に移動して前記内容器を上方に押し上げることを特徴とする二重容器。
【請求項２】
前記内容器は、前記周壁部の外面に、前記内容器収納部の内面に設けた被係合部に対してアンダーカット係合する係合部を有し、
前記押圧部を前記外容器の径方向内側に向けて押し込んで前記内容器を上方に押し上げることにより、前記係合部と前記被係合部との係合が解除される、請求項１に記載の二重容器。
【請求項３】
前記外容器は、側壁を構成する側壁部材と、該側壁部材の一端側に装着される底蓋とを備える、請求項１又は２に記載の二重容器。
【請求項４】
前記外容器は、側壁を構成する筒状部と、該筒状部に一体に連結された底壁部とを備える、請求項１又は２に記載の二重容器。
【請求項５】
前記アーム部を取り囲む前記外容器の側壁の内面に、該内面から径方向内側に膨出する膨出部を設け、
前記押圧部を前記外容器の径方向内側に向けて押し込んだ際に、前記アーム部の先端が前記膨出部に乗り上げて径方向内側に移動する、請求項１〜４の何れか一項に記載の二重容器。
【発明の詳細な説明】
【技術分野】
【０００１】
本発明は、レフィル（詰め替え）用の内容器と外容器とを備える二重容器に関し、特には、内容器の交換を容易化しようとするものである。
【背景技術】
【０００２】
従来、クリーム等の内容物を収容する容器として、内容物のレフィル用の内容器と、内容器を収納する外容器とを備える二重容器が知られている。このような二重容器では、内容器の交換に際し、内容器を外容器から取り外す必要があるが、その取り外しの要領としては、例えば、内容器を摘み引き上げる、外容器の底部に内容器を押し上げるための貫通孔を設ける、コイン等を用い抉じ開ける、といったものが考えられている。また、例えば特許文献１では、内容器に、押圧操作により上端を支点に径方向内側に向けて揺動変位する押圧部を設け、外容器には、該押圧部を露出させる切欠き部を設けると共に該押圧部が係止可能な被係止部を設ける構成が提案されている。この容器においては、押圧部を径方向内側に押圧したまま内容器を上方に引き抜くことで、内容器を外容器から取り外すことができる。また、新たな内容器を取り付ける際には、係止部を被係止部に係合させるために、外容器に対する内容器の周方向の相対的な位置を合わせる必要があった。
【先行技術文献】
【特許文献】
【０００３】
【特許文献１】特開２０１０−１９５４８４号公報
【発明の概要】
【発明が解決しようとする課題】
【０００４】
しかしながら、前記したような内容器の取り外し要領を採用する場合には、内容器を取り外すのに比較的大きな力が必要となって、高齢者等にとっては取り外し難いものであった。また交換の要領をより分かり易くして、使い易いものとすることも望まれている。
【０００５】
それゆえ、本発明は、外容器の内側に収納される内容器の交換の際に、簡単な操作で容易に内容器を取り外すことが可能な新たな構造の二重容器を提供することを目的とする。
【課題を解決するための手段】
【０００６】
本発明は上記課題を解決するためになされものであり、本発明の二重容器は、筒状の周壁部及び該周壁部の一端側を塞ぐ底壁部を有するレフィル用の内容器と、
該内容器を収納する有底筒状の内容器収納部を備える外容器と、
前記内容器と前記外容器の間で前記内容器の周方向に沿って延在するアーム部、及び該アーム部に連なり前記外容器に設けた開口を介して外部に露出する押圧部を有する押し込み部材と、を備え、
前記押圧部を前記外容器の径方向内側に向けて押し込むことで、前記アーム部が、前記周壁部の外面と前記底壁部の外面を繋ぐ傾斜面に対して摺動しながら径方向内側に移動して前記内容器を上方に押し上げることを特徴とする。
【０００７】
なお、本発明の二重容器にあっては、前記内容器は、前記周壁部の外面に、前記内容器収納部の内面に設けた被係合部に対してアンダーカット係合する係合部を有し、
前記押圧部を前記外容器の径方向内側に向けて押し込んで前記内容器を上方に押し上げることにより、前記係合部と前記被係合部との係合が解除されることが好ましい。
【０００８】
また、本発明の二重容器にあっては、前記外容器は、側壁を構成する側壁部材と、該側壁部材の一端側に装着される底蓋とを備えることができる。
【０００９】
また、本発明の二重容器にあっては、前記外容器は、側壁を構成する筒状部と、該筒状部に一体に連結された底壁部とを備えることができる。
【００１０】
また、本発明の二重容器にあっては、前記アーム部を取り囲む前記外容器の側壁の内面に、該内面から径方向内側に膨出する膨出部を設け、
前記押圧部を前記外容器の径方向内側に向けて押し込んだ際に、前記アーム部の先端が前記膨出部に乗り上げて径方向内側に移動することが好ましい。
【発明の効果】
【００１１】
本発明によれば、内容器の交換に際し、外容器の外周面に露出する押し込み部材を径方向内側に押し込む操作のみで内容器が上方へ移動するため、比較的小さな力で容易に内容器を容易に取り外すことができる。
【００１２】
したがって、本発明によれば、外容器の内側に収納される内容器の交換の際に、簡単な操作で容易に内容器を取り外すことが可能な新たな構造の二重容器を提供することができる。
【図面の簡単な説明】
【００１３】
【図１】（ａ）は、本発明の一実施形態に係る二重容器の断面側面図であり、（ｂ）は、図１（ａ）の二重容器におけるＡ−Ａ断面図である。
【図２】（ａ）は、図１の二重容器において、外容器から内容器を取り外す様子を示す断面側面図であり、（ｂ）は図２（ａ）の二重容器におけるＢ−Ｂ断面図である。
【図３】（ａ）は、本発明の他の実施形態に係る二重容器の断面側面図であり、（ｂ）は、図３（ａ）の二重容器におけるＣ−Ｃ断面図である。
【図４】（ａ）は、図３の二重容器において、外容器から内容器を取り外す様子を示す断面側面図であり、（ｂ）は図４（ａ）の二重容器におけるＤ−Ｄ断面図である。
【発明を実施するための形態】
【００１４】
以下、図１〜図４を参照して、本発明の一実施形態に係る二重容器１について詳細に例示説明する。なお、本明細書において、上下方向とは、内容器１０及び外容器２０の中心軸線Ｏに沿う方向を意味し、上方とは内容器１０の内容物収容部１１の開口部１２が位置する側（例えば、図１における上方）、下方とは内容物収容部１１の底壁部１４が位置する側（例えば、図１における下方）を意味するものとする。
【００１５】
図１に示すように、本実施形態に係る二重容器１は、レフィル用の内容器１０と、外容器２０と、押し込み部材３０と、外容器キャップ４０とを備えている。
【００１６】
内容器１０は、軸線Ｏを中心とする有底筒状の内容物収容部１１を備え、当該内容物収容部１１に内容物Ｃが収容されている。すなわち、内容物収容部１１は、その上部に開口部１２を形成すると共に、一体に連結された周壁部１３及び底壁部１４を有する。周壁部１３の外面上部には、環状の外向き凸部１５（係合部）が設けられている。また、周壁部１３の上端部には、周壁部１３の他の部分よりも大径で外容器２０の側壁部材２３の上方に配置される上筒部１６が設けられている。
【００１７】
また、内容器１０には、周壁部１３の外面と底壁部１４の外面（下面）とを繋ぎ、軸線Ｏを中心とする周方向に沿って環状に延在する傾斜面１７が設けられている。傾斜面１７は、周壁部１３から底壁部１４に向けて、つまり下方に向けて、徐々に縮径している。なお、本実施形態では、図１（ａ）に示す断面において傾斜面１７の輪郭線が直線状となる形状としているが、これに限定されず、傾斜面１７の輪郭線が曲線となる湾曲形状としてもよい。
【００１８】
外容器２０は、図１に示すように、内容器１０を収納する有底筒状の内容器収納部２１を備えている。内容器収納部２１は、その上部に開口部２２を形成する筒状の側壁部材２３と、側壁部材２３の一端側（下端側）の開口を塞ぐように装着される底蓋２４とを有する。側壁部材２３の上部の外面には雄ねじ２５が設けられており、内面には、外向き凸部１５とアンダーカット係合して、内容器１０の抜け出しを妨げる内向き凸部２６（被係合部）が設けられている。側壁部材２３の下端部には、底蓋２４の環状溝部２４ａに嵌合する嵌合筒部２７が設けられている。側壁部材２３下部の外面には、後述する押圧部３３が入り込む凹部２８が設けられている。側壁部材２３には、凹部２８を設けたことにより薄肉部２９が形成されており、当該薄肉部２９には下端から上方に向かって切欠き状に形成された溝部２９ａ（開口）が形成されている。
【００１９】
押し込み部材３０は、図１（ａ）、（ｂ）に示すように、円弧状に湾曲するアーム部３１と、アーム部３１の中央部から径方向外側に延びる連結部３２を介してアーム部３１に連なる押圧部３３とを有する。アーム部３１は、内容器１０と外容器２０の間で、傾斜面１７に隣接して配置される。すなわち、アーム部３１は、軸線Ｏを中心とした周方向に沿って延在するとともに、側壁部材２３の内面、底蓋２４の内面（上面）、及び傾斜面１７で囲まれる空間に配置される。本実施形態においてアーム部３１は、軸線Ｏを中心として周方向に１８０°を僅かに超える範囲に延在する構成としているが、これに限定されず、１８０°未満の、例えば９０°程度の範囲に延在する構成としてもよいし、１８０°を大きく超えて、例えば２７０°程度の範囲に延在するような形状としてもよいし、全周にわたって延在する円環状とすることも可能である。
【００２０】
押圧部３３は、側壁部材２３下部の外面に設けられた凹部２８に嵌り込む。凹部２８の周囲の側壁部材２３の外面には、面取り部２８ａが上下左右に設けられている。これにより、押圧部３３を押し込む指が、凹部２８周囲の側壁部材２３の外面によって遮られ難くなり、押圧部３３を押し込み易くなっている。
【００２１】
外容器２０に押し込み部材３０を取り付ける際には、底蓋２４を取り外した状態で、溝部２９ａに連結部３２が入り込むように下方から挿し込み、その後底蓋２４を取り付ける。このようにして取り付けられた押し込み部材３０は、外容器２０に対して、所定の範囲で径方向に移動可能となる。すなわち、アーム部３１と押圧部３３の距離と、これらアーム部３１及び押圧部３３の間に位置する薄肉部２９の厚みとの差に応じて、押し込み部材３０は径方向に移動可能となっている。なお、図１（ａ）、（ｂ）は、押し込み部材３０が、移動可能な範囲内において最も径方向外側に位置する初期状態を示しており、図２（ａ）（ｂ）は、最も径方向内側に位置する最大押し込み状態を示している。
【００２２】
なお、初期状態において、押圧部３３の外面３３ａは、外容器２０の外部に露出しているものの、当該押圧部３３の外面３３ａは、側壁部材２３の外面と略同一面上に位置しているため、全体として凹凸の少ない円柱状となるようにしている。これにより、一体感のある外観を得ることができ、容器の美観性を高めることができる。
【００２３】
外容器キャップ４０は、図１（ａ）に示すように、円筒状の外壁部４１と、外壁部４１の上端部を閉塞する天壁部４２とを備えている。外壁部４１の内周面には、前述した雄ねじ２５と螺合する雌ねじ４３が設けられている。天壁部４２の下面には、円板状のパッキン４４が貼着されており、内容器１０の上筒部１６の上面とパッキン４４とが密接することで、内容物収容部１１が密封されるようになっている。なお、本実施例ではパッキン４４を貼着にて組付けているが、これに限られるものではなく、外容器キャップ４０の外壁部４１内周面に凸部を設け、当該凸部を乗越えることで組付けるなど、パッキン４４が脱落しない程度に組付けられていればよく、その組付け方法は適宜選択可能である。
【００２４】
かかる構成の二重容器１において、内容物Ｃを使い切った際などに、以下の要領で内容器１０を新たな内容器１０と交換することができる。すなわち、まず、図１に示す状態から外容器キャップ４０を螺脱方向に回転させて取り外す。次いで図１（ｂ）の矢印に示すように、押し込み部材３０の押圧部３３の外面３３ａを、外容器２０の径方向内側に向けて押し込むと、連結部３２を介してアーム部３１が径方向内側に押し込まれる。アーム部３１が径方向内側に移動する際、アーム部３１が傾斜面１７に当接して、傾斜面１７が径方向内側に押圧される。内容器１０は、外容器２０の側壁部材２３に取り囲まれて相対的な水平方向の変位を規制されており、傾斜面１７に加えられた径方向内側へ向かう力の一部は傾斜面１７によって上方へ向かう力に変換される。このため、アーム部３１が傾斜面１７に対して摺動しながら径方向内側に移動すると、内容器１０は上方に押し上げられる。なお、この間、アーム部３１は底蓋２４の内面（上面）によって下方から支持されている。そして、図２（ａ）に示すように上方に押し上げられた内容器１０の上筒部１６を把持して上方に引き上げて取り出し、そのままの状態で使用済みの内容器１０を破棄することができる。
【００２５】
次に、新たな内容器１０を外容器２０に取り付ける方法について説明する。なお、レフィル用の内容器１０は、例えば、未使用の状態では、キャップ部材やシール部材が装着されること等により開口部１２が閉塞され、クリーム等の内容物Ｃの品質が維持されるようになっており、外容器２０に取り付ける際に当該キャップ部材やシール部材を除去する構成とすることができる。
【００２６】
新たな内容器１０を外容器２０に取り付ける際には、外容器２０の内容器収納部２１に新たな内容器１０を底壁部１４側から挿入して押し込むことで、傾斜面１７がアーム部３１に当接してアーム部３１を径方向外側に押出しながら下方に移動する。新たな内容器１０の上筒部１６の下面が側壁部材２３の上面に当接するまで内容器１０を押し込むと、押し込み部材３０が図１（ａ）、（ｂ）に示す初期状態の位置まで自動的に戻り、内容器１０の交換が完了する。
【００２７】
以上説明したように、本実施形態に係る二重容器１は、内容器１０の交換に際して、外容器２０の外面に露出した押圧部３３の外面３３ａを押し込む操作だけで、内容器１０を外容器２０から一定の範囲で上方に押し出すことができる。これにより、比較的小さな力で、複雑な操作を伴うことなく容易に内容器１０を取出すことが可能となる。また、新たな内容器１０を、外容器２０の内容器収納部２１に押し込む操作のみで取り付けることができるので、取り付け操作も容易である。
【００２８】
なお、本実施形態では、図１（ａ）、（ｂ）に示す初期状態から、図２（ａ）、（ｂ）に示す最大押し込み状態まで押圧部３３を押し込む過程において、外向き凸部１５と内向き凸部２６の係合が解除される構成としている。これにより、図２（ａ）、（ｂ）に示す最大押し込み状態まで押圧部３３を押し込んだ後は、外向き凸部１５と内向き凸部２６の係合が解除されているので、上筒部１６を把持して上方に引き上げれば、軽い力で容易に内容器１０を取り出すことができる。また、新たな内容器１０を外容器２０の内容器収納部２１に押し込む過程において、外向き凸部１５と内向き凸部２６が互いに乗り越えて嵌合し、内容器１０の抜け出しを妨げる構成としている。これにより、外容器キャップ４０を外した状態（図３（ｂ）の状態）において内容器１０が脱落することを防止することができる。
【００２９】
また、本実施形態においては、内容器１０の外形を周方向に均一な有底円筒状としている。これにより、内容器１０を外容器２０に挿入する際に、相互の周方向の位置を確認して位置合わせする必要がないので、取り付けがさらに容易となる。
【００３０】
また、本実施形態では、溝部２９ａの溝幅よりも押圧部３３及びアーム部３１の幅を大きくして、押圧部３３及びアーム部３１が、溝部２９ａを径方向に通り抜けられない構成としている。よって、底蓋２４を取り外さない限りは、押し込み部材３０が外容器２０から脱落する虞がない。また、押圧部３３を径方向内側に押し込む際には、薄肉部２９に押圧部３３が当接してそれ以上の押し込みが規制されるため、押圧部３３を押し込み過ぎて、元の位置に戻り難くなるといった虞もない。
【００３１】
また、本実施形態では、アーム部３１が、周方向に沿って１８０度以上の範囲にわたって、内容器１０の傾斜面１７を取り囲むようにしている。これにより、周方向の広い範囲にわたって、傾斜面１７にアーム部３１からの押圧力を伝達することができ、より小さな力で容易に内容器１０を押し上げることが可能となる。なお、アーム部３１は、内容器１０を全周にわたって取り囲む円環状とすることも可能である。この場合、押圧部３３を径方向内側に向けて押し込むことでアーム部３１は平面視で円形が歪むように弾性変形し、押圧部３３への押圧力が解除されるとアーム部３１の復元力によりアーム部３１が元の形状に戻り、その結果、押圧部３３も元の位置に戻る。
【００３２】
図３、４は、本発明の第２実施形態を示している。なお、上述した実施形態と基本的な機能が同一である部分は、図中、同一の符号を付して説明を省略する。
【００３３】
図３（ａ）、（ｂ）に示すように、本実施形態の二重容器１００において、外容器１２０の内容器収納部１２１は、側壁を構成する筒状部１２３と、当該筒状部１２３に一体に連結された底壁部１２４とを有する。筒状部１２３の下部には、筒状部１２３を貫通する貫通孔１２３ａ（開口）が形成されている。また、筒状部１２３には、貫通孔１２３ａに対向する方向の内面下部において、筒状部１２３の内面から径方向内側に膨出する膨出部１２３ｂを設けている。
【００３４】
押し込み部材１３０は、円弧状に湾曲する一対のアーム部１３１と、一対のアーム部１３１のそれぞれの一端部から径方向外側に延びる一対の連結部１３２と、一対の連結部１３２を繋ぐ押圧部１３３とを有する。一対のアーム部１３１を合わせた周方向の延在範囲は、第一実施形態のアーム部３１と同様に、軸線Ｏを中心とした１８０°を僅かに超える範囲としているが、これに限られるものではない。また、図３（ｂ）に示す初期状態において、アーム部１３１の延在する範囲を除く周方向位置に、膨出部１２３ｂが設けられており、アーム部１３１の先端１３１ａは、膨出部１２３ｂの先端１２３ｃに近接配置されている。膨出部１２３ｂの先端１２３ｃには、アーム部１３１の先端１３１ａに向けて徐々に大径となるよう形成された傾斜面１２３ｄが設けられている。これにより、押圧部１３３を径方向内側に押し込んだ際に、アーム部１３１の先端１３１ａが、スムーズに膨出部１２３ｂの径方向内側に移動することができる。
【００３５】
本実施形態の押し込み部材１３０を外容器１２０に取り付ける際には、内容器１０を取り外した状態で、一対のアーム部１３１を径方向内側に弾性変形させながら、内容器収納部１２１に挿入し、押圧部１３３を貫通孔１２３ａに挿し込むようにして配置する。
【００３６】
図３（ａ）、（ｂ）に示す初期状態から、内容器１０を交換する際には、まず、外容器キャップ４０を螺脱方向に回転させて取り外す。次いで図３（ｂ）の矢印に示すように、押し込み部材１３０の押圧部１３３の外面１３３ａを、外容器１２０の径方向内側に向けて押し込む。これにより、一対の連結部１３２を介してアーム部１３１が径方向内側に押し込まれて傾斜面１７に対して摺動し、内容器１０が上方に押し出される。なお、本実施形態では、アーム部１３１が径方向内側に押し込まれた際に、アーム部１３１の先端１３１ａが膨出部１２３ｂの先端１２３ｃに乗り上げて膨出部１２３ｂの径方向内面側に移動する。これにより、アーム部１３１の先端１３１ａを含む周方向の全体の領域にわたって、径方向内側に移動し易くなり、周方向のより広い範囲にわたって傾斜面１７を押圧することができる。これにより、より容易に内容器１０を押し上げることができる。
【００３７】
図４（ａ）、（ｂ）に示す最大押し込み状態まで押圧部１３３を押し込むと、外向き凸部１５と内向き凸部２６の係合は解除されているので、内容器１０を軽い力で引き上げて取り出し、そのままの状態で使用済みの内容器１０を破棄することができる。新たな内容器１０を外容器１２０に取り付ける際には、先の第１実施形態と同様に、内容器収納部１２１に新たな内容器１０を挿入して押し込むだけで、押し込み部材１３０が図３（ａ）、（ｂ）に示す初期状態の位置まで自動的に戻り、内容器１０の交換が完了する。
【００３８】
本実施形態に係る二重容器１００は、外容器１２０における筒状部１２３と底壁部１２４を一体に連結して１部品としているため、これらを２部品で構成する場合に比べて部品点数を削減することができる。
【００３９】
本発明は前記実施の形態に限定されるものではなく、その要旨を逸脱しない範囲で種々
変更可能であることはいうまでもない。
【００４０】
例えば、内容器１０の周壁部１３や外容器２０の側壁部材２３は、円筒状に限らず、楕円形状や他の形状としてもよい。また、第１実施形態の外容器２０の側壁部材２３の内面に、第２実施形態の膨出部１２３ｂの構成を設けてもよい。また、先の実施形態では外容器２０、１２０と外容器キャップ４０とがねじ係合する構成としたが、これに限定されず、着脱可能にアンダーカット係合する構成とすることも可能である。
【符号の説明】
【００４１】
１  二重容器
１０  内容器
１１  内容物収容部
１２  開口部
１３  周壁部
１４  底壁部
１５  外向き凸部（係合部）
１６  上筒部
１７  傾斜面
２０  外容器
２１  内容器収納部
２２  開口部
２３  側壁部材
２４  底蓋
２４ａ  環状溝部
２５  雄ねじ
２６  内向き凸部（被係合部）
２７  嵌合筒部
２８  凹部
２８ａ  面取り部
２９  薄肉部
２９ａ  溝部（開口）
３０  押し込み部材
３１  アーム部
３２  連結部
３３  押圧部
３３ａ  押圧部の外面
４０  外容器キャップ
４１  外壁部
４２  天壁部
４３  雌ねじ
４４  パッキン
１００  二重容器
１２０  外容器
１２１  内容器収納部
１２３  筒状部
１２３ａ  貫通孔（開口）
１２３ｂ  膨出部
１２３ｃ  膨出部の先端
１２３ｄ  傾斜面
１２４  底壁部
１３０  押し込み部材
１３１  アーム部
１３１ａ  アーム部の先端
１３２  連結部
１３３  押圧部
１３３ａ  押圧部の外面
Ｏ  軸線
Ｃ  内容物
【図１】
0006576210.tif 000002
【図２】
0006576210.tif 000003
【図３】
0006576210.tif 000004
【図４】
0006576210.tif 000005